(57)【要約】【課題】紙挿入口から挿入されたファンフォールド紙をジャミング状態に陥らせることなく、印刷位置を経由する水平紙搬送路上にセットできるプリンターを提供すること。【解決手段】プリンター１内には印刷位置Ａを経由する水平紙搬送路Ｄ、紙挿入口１２から水平紙搬送路Ｄに向うファンフォールド紙搬送路Ｅ、ロール紙収納部７から水平紙搬送路Ｄに向かうロール紙搬送路Ｇが形成されている。ロール紙収納部７の開閉蓋３ａにはアタッチメント１１が取り付けられており、開閉蓋３ａを閉じるとアタッチメント１１はファンフォールド紙搬送路Ｅとロール紙搬送路Ｇとの合流位置Ｈで水平紙搬送路Ｄとファンフォールド紙搬送路Ｅとの間を連続させる中間紙搬送路Ｆを形成する。紙挿入口１２から印刷位置Ａに至るファンフォールド紙用の紙搬送路Ｂ上に分断箇所がなくなるので、紙挿入口１２から挿入されたファンフォールド紙８を水平紙搬送路Ｄ上にセットできる。【選択図】図３
2010201679.tif 000002
【特許請求の範囲】
【請求項１】
第１記録紙を案内する第１紙搬送路と、
第２記録紙を案内する第２紙搬送路と、
印刷位置を経由するもので、少なくとも前記第１紙搬送路と前記第２紙搬送路の一部を共通とする共通紙搬送路と、
前記共通紙搬送路において前記第１記録紙または前記第２記録紙を搬送する搬送手段と、
前記第１紙搬送路と前記第２紙搬送路の合流位置近傍で、前記共通紙搬送路と前記第１紙搬送路との間に、中間紙搬送路を形成するためのアタッチメントとを有していることを特徴とするプリンター。
【請求項２】
請求項１に記載のプリンターにおいて、
前記第１紙搬送路は、前記第１記録紙を挿入する紙挿入口を含み、
前記第２紙搬送路は、ロール紙収納部から引き出される前記第２記録紙を案内するものであることを特徴とするプリンター。
【請求項３】
請求項１または２に記載のプリンターにおいて、
ロール紙収納部を開閉するための開閉蓋を有し、
前記アタッチメントは、前記開閉蓋に取り付けられており、
前記開閉蓋の開動作に連動して、前記中間紙搬送路が開放状態になり、前記開閉蓋の閉動作に連動して、前記中間紙搬送路が形成されることを特徴とするプリンター。
【請求項４】
請求項３に記載のプリンターにおいて、
前記第２紙搬送路は、前記ロール紙収納部から引き出された前記第２記録紙の張力を調整するためのテンションガイドを有しており、
前記テンションガイドは、前記開閉蓋に配置され、
前記アタッチメントは、前記テンションガイドに着脱可能に取り付けられていることを特徴とするプリンター。
【請求項５】
請求項１ないし４のうちのいずれかの項に記載のプリンターにおいて、
少なくとも前記中間紙搬送路は、紙搬送方向に、湾曲した形状を備えていることを特徴とするプリンター。
【請求項６】
請求項５に記載のプリンターにおいて、
前記アタッチメントに対向する位置に紙押さえローラーを有しており、
前記アタッチメントの前記紙押さえローラーに対する対向面と前記紙押さえローラーの外周面とにより前記湾曲した形状が形成されることを特徴とするプリンター。
【請求項７】
請求項６に記載のプリンターにおいて、
前記開閉蓋が閉じるとき、前記アタッチメントの紙幅方向の端をガイドする案内面を前記紙押さえローラーの側方に有することを特徴とするプリンター。
【請求項８】
請求項３ないし７のうちのいずれかの項に記載のプリンターにおいて、
前記開閉蓋の開動作に連動して、前記第２紙搬送路が開放状態となり、前記開閉蓋の閉動作に連動して、前記第２紙搬送路が形成されることを特徴とするプリンター。
【発明の詳細な説明】
【技術分野】
【０００１】
本発明は、ロール紙やファンフォールド紙などの複数の用紙種類の長尺状の記録紙を択一的に使用できるプリンターに関する。より詳細には、プリンターの内部に、印刷位置を経由する共通紙搬送路と、紙挿入口から共通紙搬送路に向かう第１紙搬送路と、ロール紙収納部から共通紙搬送路に向う第２紙搬送路とが形成されているプリンターに関する。
【背景技術】
【０００２】
ファンフォールド紙とロール紙とを選択して使用できるプリンターが知られている。このようなプリンターでは、ファンフォールド紙は、紙挿入口から筐体内へと挿入された後に、印刷位置を経由する紙搬送路に沿って搬送されて、印刷される。ロール紙は、筐体内に形成されているロール紙収納部に装填され、ロール紙から引き出された記録紙は、ロール紙収納部から印刷位置を経由する紙搬送路に沿って搬送されて、印刷される。印刷位置を経由する紙搬送路の部分は、ファンフォールド紙と記録紙が共に搬送される共通紙搬送路となっている。
【０００３】
特許文献１のプリンターでは、筐体の内部に、紙挿入口から共通紙搬送路に向かうファンフォールド紙搬送路と、ロール紙収納部から共通紙搬送路に向かうロール紙搬送路とが形成されている。特許文献２に記載されているプリンターでは、紙挿入口が共通紙搬送路の上流端に形成されており、ファンフォールド紙搬送路は省略されている。ロール紙搬送路はロール紙収納部から紙挿入口を経由して共通紙搬送路に繋がるように形成されている。
【先行技術文献】
【特許文献】
【０００４】
【特許文献１】特開２００８−１０６９号公報
【特許文献２】特開２０００−２９６９５２号公報
【発明の概要】
【発明が解決しようとする課題】
【０００５】
引用文献１のプリンターでは、ロール紙収納部から共通紙搬送路に向かうロール紙搬送路の全経路が筐体内に形成されているので、装置の小型化を図ることができる。しかし、紙挿入口から挿入したファンフォールド紙を印刷位置にセットするためには、ロール紙をセットする場合と同様に、筐体のカバーを開き、ファンフォールド紙をファンフォールド紙搬送路から共通紙搬送路まで手作業で引き出さなければならないという問題がある。
【０００６】
すなわち、ロール紙から引き出された記録紙とフォンフォールド紙の双方を共通紙搬送路に導くためには、共通紙搬送路の上流端で、ロール紙搬送路とファンフォールド紙搬送路とを合流させる必要がある。従って、この合流位置では、共通紙搬送路とロール紙搬送路との間、および、共通紙搬送路とファンフォールド紙搬送路との間に分断される分断箇所が形成される。ここで、共通紙搬送路とファンフォールド紙搬送路との間に分断箇所が形成されていると、紙挿入口から筐体内に挿入されたファンフォールド紙は分断箇所で所望の方向とは異なる方向に迷い込んでしまい、共通紙搬送路に到達させることができなくなってしまうことがある。また、分断箇所にファンフォールド紙の折り目がひっかかってしまい、筐体内に挿入したファンフォールド紙がジャミング状態に陥ってしまうということがある。従って、引用文献１のプリンターでは、このような事態を回避するために、筐体のカバーを開いて、ファンフォールド紙を共通紙搬送路に導いている。
【０００７】
一方、特許文献２のプリンターでは、紙挿入口が共通紙搬送路に連続しているので、紙挿入口から印刷位置に至るまでのファンフォールド紙の紙搬送路上には分断箇所がない。従って、筐体のカバーを開かなくても、ファンフォールド紙を紙挿入口から筐体内に挿入していくだけで、ファンフォールド紙を共通紙搬送路上にセットできる。しかし、ロール紙収納部から共通紙搬送路に向かうロール紙搬送路が紙挿入口を迂回しているので、ロール紙搬送路の全経路を筐体の内部に形成することができず、装置の小型化が妨げられてしまうという問題がある。
【０００８】
本発明の課題は、このような点に鑑みて、筐体の内部に、印刷位置を経由する共通紙搬送路、紙挿入口から共通紙搬送路に向かう第１紙搬送路およびロール紙収納部から共通紙搬送路に向う第２紙搬送路が形成してある場合でも、紙挿入口から挿入された記録紙をジャミング状態に陥らせることなく共通紙搬送路上にセットすることができるプリンターを提供することにある。
【課題を解決するための手段】
【０００９】
上記課題を解決するために、本発明のプリンターは、
第１記録紙を案内する第１紙搬送路と、
第２記録紙を案内する第２紙搬送路と、
印刷位置を経由するもので、少なくとも前記第１紙搬送路と前記第２紙搬送路の一部を共通とする共通紙搬送路と、
前記共通紙搬送路において前記第１記録紙または前記第２記録紙を搬送する搬送手段と、
前記第１紙搬送路と前記第２紙搬送路の合流位置近傍で、前記共通紙搬送路と前記第１紙搬送路との間に、中間紙搬送路を形成するためのアタッチメントとを有していることを特徴とする。
【００１０】
また、本発明において、前記第１紙搬送路は、前記第１記録紙を挿入する紙挿入口を含み、前記第２紙搬送路は、ロール紙収納部から引き出される前記第２記録紙を案内することが望ましい。
【００１１】
さらに、本発明において、前記ロール紙収納部を開閉するための開閉蓋を有し、前記アタッチメントは、前記開閉蓋に取り付けられており、前記開閉蓋の開動作に連動して、前記中間紙搬送路が開放状態になり、前記開閉蓋の閉動作に連動して、前記中間紙搬送路が形成されることが望ましい。
【００１２】
本発明のプリンターは、中間紙搬送路を形成するためのアタッチメントを有しており、例えば、開閉蓋にアタッチメントを取り付けて開閉蓋を閉じると、第１紙搬送路と第２紙搬送路との合流位置近傍において、共通紙搬送路と第１紙搬送路との間を連続させる中間紙搬送路が形成される。この結果、紙挿入口から挿入された記録紙をジャミング状態に陥らせることなく共通紙搬送路に導いて、共通紙搬送路上にセットすることができる。
【００１３】
すなわち、筐体内に印刷位置を経由する共通紙搬送路と、第１記録紙を紙挿入口から共通紙搬送路に案内する第１紙搬送路と、第２記録紙をロール紙収納部から共通紙搬送路に案内する第２紙搬送路とを備えている場合には、その構成上、共通紙搬送路の上流端における第１紙搬送路と第２紙搬送路の合流位置で、共通紙搬送路と第１紙搬送路との間、および、共通紙搬送路と第２紙搬送路との間が分断されて分断箇所が形成されてしまう。このため、紙挿入口から筐体内に第１記録紙を挿入すると、第１挿入箇所が分断箇所において所望の方向とは異なる方向に迷い込んだり、分断箇所で記録紙が引っかかってジャミング状態に陥ったりしてしまうことがある。これに対して、本発明では、アタッチメントにより、合流位置に共通紙搬送路と第１紙搬送路との間を連続させる中間紙搬送路が形成され、この分断箇所が無くなる。この結果、第１記録紙を紙挿入口から挿入するだけで共通紙搬送路まで導くことが可能になるので、第１記録紙を共通紙搬送路上にセットできる。
【００１４】
また、本発明によれば、アタッチメントは、ロール紙収納部を開閉するための開閉蓋に取り付けられているので、開閉蓋を開けることにより、アタッチメントの取り付け部分にアクセスすることができる。
【００１５】
さらに、開閉蓋の閉動作に連動して中間紙搬送路が形成されるので、簡単な操作で共通紙搬送路と第１紙搬送路とを連続させることができる。また、開閉蓋の開動作に連動して中間紙搬送路が開放状態になるので、中間紙搬送路において第１記録紙がジャミング状態に陥ってしまっても、第１記録紙をジャミング状態から復旧させることが容易である。
【００１６】
また、アタッチメントにより第１紙搬送路と第２紙搬送路との合流位置で共通紙搬送路と第１紙搬送路との間を連続させると、第２紙搬送路と共通紙搬送路との間は遮蔽される。従って、第１記録紙の使用が選択されているときに、誤って、第２記録紙を共通紙搬送路上にセットしてしまうことを防止できる。
【００１７】
本発明において、前記第２紙搬送路は、前記ロール紙収納部から引き出された前記第２記録紙の張力を調整するためのテンションガイドを有しており、前記テンションガイドは、前記開閉蓋に配置され、前記アタッチメントは、前記テンションガイドに着脱可能に取り付けられていることが望ましい。テンションガイドは、印刷媒体として第２記録紙を選択した時にだけ用いられるものであり、第１記録紙を選択した時には用いられない。従って、このテンションガイドに対してアタッチメントを着脱可能に取り付ければ、アタッチメントを取り付けるための部材を別途設ける必要がない。また、開閉蓋を開けることによりアタッチメントの取り付け部分にアクセスすることができ、アタッチメントを着脱することが容易にできるので、第１記録紙および第２記録紙を選択的に使用するのに適している。
【００１８】
本発明において、少なくとも前記中間紙搬送路は、紙搬送方向に、湾曲した形状を備えていることが望ましい。このようにすれば、紙挿入口から挿入されて印刷位置に至る第１記録紙は湾曲形状（Ｓ字）の紙搬送路部分を通過する際に、そのクセが弱められる。例えば、第１記録紙がファンフォールド紙の場合には、折り曲げ部分に付いているクセが弱められるので、ファンフォールド紙が共通紙搬送路上の印刷位置を通過する際に浮き上がってしまい、印刷ヘッドと干渉してしまうことを防止できる。
【００１９】
この場合において、中間紙搬送路を湾曲した形状にするためには、前記アタッチメントに対向する位置に紙押さえローラーを有しており、前記アタッチメントの前記紙押さえローラーに対する対向面と、前記紙押さえローラーの外周面とにより前記湾曲した形状が形成されることが望ましい。
【００２０】
また、アタッチメントによって中間紙搬送路が確実に形成されるようにするためには、前記開閉蓋が閉じるとき、前記アタッチメントの紙幅方向の端をガイドする案内面を前記紙押さえローラーの側方に有することが望ましい。また、このようにすれば、中間紙搬送路が形成される際に、アタッチメントが紙押さえローラーに衝突してしまうことを回避できる。
【００２１】
次に、本発明において、前記開閉蓋の開動作に連動して、前記第２紙搬送路が開放状態となり、前記開閉蓋の閉動作に連動して、前記第２紙搬送路が形成されることが望ましい。このようにすれば、開閉蓋を開けたときに、第２紙搬送路から共通紙搬送路に至る第２記録紙搬送用の紙搬送路が開放状態になるので、第２記録紙を引き出した状態にしたロール紙をロール紙収納部に投入し、開閉蓋を閉めるだけで、第２記録紙を印刷位置にセットすることができる。従って、第２記録紙を使用する際の使い勝手が良い。
【発明の効果】
【００２２】
本発明のプリンターによれば、中間紙搬送路を形成するためのアタッチメントを有しており、例えば、開閉蓋にアタッチメントを取り付けて開閉蓋を閉じると、第１紙搬送路と第２紙搬送路との合流位置近傍において、共通紙搬送路と第１紙搬送路との間を連続させる中間紙搬送路が形成される。この結果、紙挿入口から挿入された記録紙をジャミング状態に陥らせることなく共通紙搬送路に導いて、共通紙搬送路上にセットすることができる。また、アタッチメントにより第１紙搬送路と第２紙搬送路との合流位置で共通紙搬送路と第１紙搬送路との間を連続させると、第２紙搬送路と共通紙搬送路との間は遮断される。従って、第１記録紙の使用が選択されているときに、誤って、第２記録紙を共通紙搬送路上にセットしてしまうことを防止できる。
【図面の簡単な説明】
【００２３】
【図１】本発明を適用したプリンターの外観斜視図である。
【図２】プリンターの開閉蓋を開けた状態を示す外観斜視図である。
【図３】アタッチメントを取り付けたプリンターの内部構造を示す説明図である。
【図４】アタッチメントを取り外したプリンターの内部構造を示す説明図である。
【図５】アタッチメントをプリンター後方とプリンター前方から見た斜視図である
【図６】テンションガイドとアタッチメントの斜視図および断面図である。
【図７】開閉蓋ユニットを僅かに開けた状態の概略側面図である。
【図８】ヘッドユニットフレームの下端部分の湾曲段面を示す概略側面図である。
【発明を実施するための形態】
【００２４】
以下に、図面を参照して、本発明を適用したプリンターの実施の形態を説明する。
【００２５】
（全体構成）
図１は本発明の実施の形態に係るプリンターの外観斜視図である。図２はプリンターの開閉蓋を全開にした状態の外観斜視図である。
【００２６】
プリンター１は全体としてほぼ直方体形状をしたプリンター本体２と、プリンター本体２の前面に取り付けた開閉蓋ユニット３とを有している。開閉蓋ユニット３は、開閉蓋３ａと、この開閉蓋３ａの開閉機構とを備えている。プリンター本体２の外装ケース２ａの前面には所定幅の紙排出口４が形成されている。紙排出口４の下側には排紙ガイド５が前方に突出しており、この排紙ガイド５の側方には蓋開閉レバー６が配置されている。外装ケース２ａにおける排紙ガイド５および蓋開閉レバー６の下側には、プリンター本体２内に形成されているロール紙収納部７のロール紙出し入れ用の矩形の開口７ａが形成されており、この開口７ａが開閉蓋３ａによって封鎖されている。
【００２７】
ここで、本例のプリンター１は、ファンフォールド紙８とロール紙９と択一的に使用できるように構成されている。
【００２８】
まず、ファンフォールド紙８を使用する場合には、蓋開閉レバー６を操作して開閉蓋ユニット３のロックを解除し、開閉蓋ユニット３に搭載されている排紙ガイド５を前方に引く。すると、図２に示すように、開閉蓋ユニット３は下端部を中心として前方にほぼ水平となるまで開く。このとき、印刷位置Ａを規定しているプラテン１０が開閉蓋３ａと一緒に前方に移動してくるので、このプラテン１０の後側にアタッチメント１１を取り付ける。
【００２９】
しかる後に開閉蓋３ａを閉め、プリンター本体２の背面部分２ｂに形成されている紙挿入口１２からファンフォールド紙８を手差し挿入する。ファンフォールド紙８が紙挿入口１２からプリンター本体２の内部に所定量だけ挿入されると、このファンフォールド紙８はオートローディングされ、紙挿入口１２から印刷位置Ａを経由して紙排出口４に到るファンフォールド紙用の紙搬送路（第１紙用の紙搬送路）Ｂに沿ってセットされる（図３参照）。
【００３０】
次に、ロール紙９を使用する場合には、開閉蓋ユニット３を水平となるまで開いて、アタッチメント１１を取り外す。開閉蓋ユニット３を水平となるまで開くと、ロール紙収納部７は開放状態となり、同時に、ロール紙収納部７から印刷位置Ａを経由して紙排出口４に到るロール紙用の紙搬送路Ｃが開放状態となるので、記録紙９ａを引き出した状態にしたロール紙９をプリンター前方からロール紙収納部７に投入する。しかる後に開閉蓋３ａを閉めると、記録紙９ａはロール紙用の紙搬送路Ｃに沿ってセットされる（図４参照）。
【００３１】
（内部構成）
図３はアタッチメント１１が取り付けられた状態のプリンター１の内部の概略構成を示す説明図である。
【００３２】
プリンター１の内部には、プリンター本体フレーム２１における幅方向の中央部分にロール紙収納部７が形成されている。ロール紙収納部７の上側には、プリンター本体フレーム２１の上端にヘッドユニットフレーム２２が水平に取り付けられている。ヘッドユニットフレーム２２には、インクジェット印刷ヘッド２３、このインクジェット印刷ヘッド２３を搭載しているキャリッジ２４、キャリッジ２４のプリンター幅方向への移動をガイドするキャリッジガイド軸２５、キャリッジ２４をキャリッジガイド軸２５に沿って往復移動させるためのキャリッジモーター２６およびタイミングベルト２７を備えたキャリッジ搬送機構が配置されている。インクジェット印刷ヘッド２３は、インクノズル面２３ａが下向きになるようにキャリッジ２４に搭載されている。ヘッドユニットフレーム２２の前端位置には可動刃を下方に突出させて切断を行うオートカッター２８が配置されている。
【００３３】
インクジェット印刷ヘッド２３の下側には一定のギャップを開けてプリンター幅方向に水平に延びるプラテン１０が配置されている。プラテン１０はインクジェット印刷ヘッド２３による印刷位置Ａを規定するものであり、プリンター幅方向に水平に延びている直方体形状のプラテンフレーム２９に搭載されている。プラテンフレーム２９は印刷位置Ａを経由して水平に延びる水平紙搬送路（共通紙搬送路）Ｄを規定している。プラテン１０の表面１０ａの所定領域には多数の吸引孔が形成されており、不図示の吸引機構によってこれら吸引孔から空気を吸い込むことにより水平紙搬送路Ｄに沿ってプラテン１０の表面１０ａ上を搬送されるファンフォールド紙８やロール紙９の記録紙９ａなどが吸引される。
【００３４】
プラテンフレーム２９におけるプラテン１０の後側には紙送りローラー３０がプリンター幅方向に水平に架け渡されている。紙送りローラー３０には所定幅の押圧ローラー３１が所定の押圧力で押し付けられている。紙送りローラー３０は、プリンター本体フレーム２１に搭載されている紙送りモーター３２によって駆動される。紙送りローラー３０よりも上流側には、水平紙搬送路Ｄ上に記録紙９ａやファンフォールド紙８が到達しているか否か等を検出する紙検出器３３が配置されている。紙検出器３３は、例えば、反射型フォトセンサーや透過型フォトセンサーである。
【００３５】
プラテンフレーム２９の前端には排紙ガイド５が取り付けられている。プラテンフレーム２９の前端におけるプリンター本体フレーム２１およびヘッドユニットフレーム２２の間の部位は一定幅の隙間が開いており、この隙間が紙排出口４になっている。
【００３６】
プラテンフレーム２９の下側には、押さえレバー３４が後方に向かって斜め下方に延びるように取り付けられている。押さえレバー３４はバネ力によって下方に付勢されており、その先端部分に取り付けられている押圧ローラー３５が繰り出しローラー３６に所定の押圧力で押し付けられている。繰り出しローラー３６はプリンター本体フレーム２１に搭載されている繰り出しモーター（不図示）によって回転駆動される。
【００３７】
プラテンフレーム２９の後端には下方に湾曲しているテンションガイド３７が取り付けられている。テンションガイド３７はロール紙収納部７から水平紙搬送路Ｄに沿って引き出される記録紙９ａに所定の張力を付与するものであり（図４参照）、バネ力によって上方に付勢されている。
【００３８】
テンションガイド３７の後方には、紙押さえローラー３８がプリンター幅方向に水平に架け渡されている。紙押さえローラー３８の後方のプリンター本体２の背面部分２ｂには紙挿入口１２が形成されている。
【００３９】
紙押さえローラー３８と紙挿入口１２との間にはフレーム部材３９が配置されている。フレーム部材３９は紙挿入口１２からプリンター前方に向って僅かに下方に傾斜する上面３９ａを備えており、この上面３９ａに沿って紙挿入口１２から挿入されたファンフォールド紙８を水平紙搬送路Ｄに案内するためのファンフォールド紙搬送路（第１紙搬送路）Ｅが形成されている。フレーム部材３９の前端部分には、コの字の断面形状を備えたフレーム部材側係合部３９ｂが形成されている。
【００４０】
水平紙搬送路Ｄとファンフォールド紙搬送路Ｅの間にはアタッチメント１１が配置されている。アタッチメント１１は、その前側部分がテンションガイド３７に取り付けられており、その後端部分がフレーム部材側係合部３９ｂに係合している。アタッチメント１１の上面１１ａは、プリンター幅方向から見たときに、下方に湾曲した後に僅かに上方に湾曲するＳ字形状を備えており、上面３９ａの凹面部分の上方に紙押さえローラー３８が位置している。この結果、水平紙搬送路Ｄとファンフォールド紙搬送路Ｅの間には、アタッチメント１１の上面１１ａと紙押さえローラー３８の外周面との間を通過する断面Ｓ字形状の中間紙搬送路Ｆが形成されている。
【００４１】
紙挿入口１２からファンフォールド紙８が手差し挿入されると、ファンフォールド紙８は、ファンフォールド紙搬送路Ｅに沿ってプリンター本体２内に進入し、中間紙搬送路Ｆを通過して、水平紙搬送路Ｄに到達する。ファンフォールド紙８が水平紙搬送路Ｄに到達したことが紙検出器３３で検出されると、ファンフォールド紙８のオートローディングが行われる。すなわち、紙送りモーター３２により紙送りローラー３０が回転駆動されて、ファンフォールド紙８は水平紙搬送路Ｄに沿って搬送され、水平紙搬送路Ｄ上にセットされる。水平紙搬送路Ｄ上にセットされたファンフォールド紙８は、プラテン１０の表面１０ａに吸引された状態で印刷位置Ａを通過するように搬送され、インクジェット印刷ヘッド２３による印刷が施される。
【００４２】
次に、印刷媒体としてロール紙９を用いる場合を説明する。この場合、プリンター１はアタッチメント１１を取り外した状態で使用される。図４はアタッチメント１１が取り外された状態のプリンター１の内部の概略構成を示す説明図である。
【００４３】
図４に示すように、ロール紙９から繰り出された記録紙９ａは、ロール紙収納部７から繰り出しローラー３６と押圧ローラー３５のニップ部を介して上方に向うロール紙搬送路（第２紙搬送路）Ｇに沿って引き出される。しかる後にテンションガイド３７に架け渡されてプリンター前方に湾曲させられ、水平紙搬送路Ｄに導かれる。テンションガイド３７は、紙挿入口１２から水平紙搬送路Ｄに向うファンフォールド紙搬送路Ｅと、ロール紙収納部７から水平紙搬送路Ｄに向うロール紙搬送路Ｄの合流位置Ｈにおいて、記録紙９ａをロール紙搬送路Ｄから水平紙搬送路Ｄに導いている。
【００４４】
ロール紙９をロール紙収納部７に装填する際には、開閉蓋ユニット３を水平となるまで開く。すると、開閉蓋３ａと共に、プラテン１０、テンションガイド３７、紙送りローラー３０、押さえレバー３４および押圧ローラー３５がプリンター前方に移動して、ロール紙搬送路Ｇからテンションガイド３７を介して水平紙搬送路Ｄに至るロール紙用の紙搬送路Ｃが開放状態になる。従って、この開放状態になった空間を介して、記録紙９ａが引き出されたロール紙９をロール紙収納部７に投入する。
【００４５】
しかる後に開閉蓋３ａを閉じると、プラテン１０、テンションガイド３７、紙送りローラー３０、押さえレバー３４および押圧ローラー３５が元の位置に復帰する。この結果、引き出された記録紙９ａは、ロール紙搬送路Ｇからテンションガイド３７を介して水平紙搬送路Ｄに至るロール紙用の紙搬送路Ｃ上に引き出された状態にセットされる。水平紙搬送路Ｄ上にセットされた記録紙９ａは、プラテン１０の表面１０ａに吸引された状態で印刷位置Ａを通過するように搬送され、インクジェット印刷ヘッド２３による印刷が施される。
【００４６】
（アタッチメント）
図５（ａ）はアタッチメント１１をプリンター後方の斜め上方から見た斜視図であり、図５（ｂ）はアタッチメント１１をプリンター前方の斜め上方から見た斜視図である。図６（ａ）はアタッチメント１１をテンションガイド３７に取り付ける前の状態をプリンター後方の斜め上方から見た斜視図であり、図６（ｂ）はアタッチメント１１がテンションガイド３７に取り付けられた状態をプリンター後方の斜め上方から見た斜視図であり、図６（ｃ）は図６（ｂ）のＡ−Ａ´線における縦断面図である。
【００４７】
アタッチメント１１は、Ｓ字の断面形状を備えプリンター幅方向に向って一定幅で延びているＳ字板部分４１と、Ｓ字板部分４１の凹状部分の裏面側から下方に延びている一定高さの垂直板部分４２と、Ｓ字板部分４１の凹状部分のプリンター幅方向の一方の端から突出しているアタッチメント側突起４３を備えている。
【００４８】
Ｓ字板部分４１の前側の凸状部分には、プリンター幅方向の両側部分に、矩形の切り欠き部４４、４５が設けられている。各切り欠き部４４、４５の下端縁部分にはプリンター前方に延びるアタッチメント側取付部４６、４７が形成されている。各アタッチメント側取付部４６、４７は、フック４８と、このフック４８を両側から挟んで平行に延びている２枚の薄板４９、５０と、プリンター幅方向の内側に位置している各薄板５０からプリンター幅方向の内側に突出している突起５１を備えている。突起５１には、上下方向に貫通する貫通孔５１ａが形成されている。
【００４９】
Ｓ字板部分４１の後端部分にはアタッチメント側係合部５２が形成されている。アタッチメント側係合部５２は、Ｓ字板部分４１の後端縁に形成された複数の切り欠き部５３と、後端縁から下方に凹むように形成された段部５４と、この段部５４から後方に向って延びている挿入板部５５とを備えている。なお、フレーム部材側係合部３９ｂは、切り欠き部５３と対応する突出部を備えており、コの字の断面形状部分に挿入板部５５を受け入れるように構成されている。
【００５０】
一方のテンションガイド３７は、図６（ａ）に示すように、後方に向って下方に湾曲する湾曲面３７ａを備えたガイド本体５６と、ガイド本体５６のプリンター幅方向の一方の端からプリンター後方に向って斜め上方に突出しているテンションガイド側突起５７を備えている。
【００５１】
ガイド本体５６のプリンター幅方向の両側部分には、アタッチメント１１を装着するためのテンションガイド側取付部５８、５９が形成されている。各テンションガイド側取付部５８、５９は、矩形の切り欠き部６０と、各切り欠き部６０の上側部分でプリンター幅方向に架け渡されている平板状の上板６１と、各切り欠き部６０の下端縁からプリンター前方に延びている下板６２とを備えている。各上板６１におけるプリンター幅方向の内側部分は貫通孔６１ａが形成されている。
【００５２】
アタッチメント１１は、アタッチメント側取付部４６、４７がテンションガイド側取付部５８、５９の上板６１と下板６２との間に挿入されるようにして、テンションガイド３７の後側から取り付けられる。アタッチメント１１がテンションガイド３７に取り付けられた状態では、図６（ｂ）、（ｃ）に示すようにアタッチメント１１のＳ字板部分４１の裏面がテンションガイド３７の湾曲面３７ａの上側部分に当接し、垂直板部分４２の下端面がテンションガイド３７の湾曲面３７ａの下側部分に当接した状態になる。また、上板６１にフック４８が係止される。
【００５３】
ここで、アタッチメント１１がテンションガイド３７に取り付けられると、アタッチメント側取付部４６、４７の突起５１の貫通孔５１ａとテンションガイド側取付部５８、５９の上板６１の貫通孔６１ａとが同軸に配置されるので、このプリンター１の使用用途がファンフォールド紙８を用いる用途に限定されている場合には、これら貫通孔５１ａおよび貫通孔６１ａにピンなどを貫通させてアタッチメント１１とテンションガイド３７とを固着しておく。
【００５４】
（開閉蓋ユニットの開閉機構）
次に、図２、図３、図７、図８を参照して、開閉蓋ユニット３の開閉機構を説明する。図７は開閉蓋ユニット３の開閉機構を示す概略側面図であり、開閉蓋ユニット３を前方に引き出した状態を示す概略側面図である。図８はヘッドユニットフレーム２２の下端部分に形成されている湾曲断面を示す概略側面図である。なお、図７においては、開閉蓋ユニット３の開閉蓋３ａを省略してある。
【００５５】
開閉蓋ユニット３は４節の平行リンク機構によって開閉可能な状態でプリンター本体２に支持されている。平行リンク機構は、開閉蓋３ａが取り付けられている左右一対の前側平行リンク７１、７２と、左右一対の後側平行リンク７３、７４とを備えている。前側平行リンク７１、７２の間には開閉蓋３ａが取り付けられている。これらの前側平行リンク７１、７２の下端部は、それぞれ、プリンター本体フレーム２１の底板部分２１ａによって水平軸７５を中心に前後に回動自在に支持され、後側平行リンク７３、７４も底板部分２１ａによって水平軸７６を中心に前後に回動自在に支持されている。
【００５６】
前側平行リンク７１、７２の上端部は、プラテンフレーム２９の前端部に対して水平軸７７を中心に回動自在に連結されている。これに対して、後側平行リンク７３、７４の上端部と、プラテンフレーム２９の後端部との間は、上下に一定量だけ移動可能な状態で連結されている。本例では、プラテンフレーム２９の側に上下に長い長孔７８が形成されており、ここに、後側平行リンク７３、７４の上端部に取り付けた水平軸７９が回転可能およびスライド可能な状態で挿入されている。
【００５７】
ロール紙収納部７の左側のプリンター本体フレーム２１の側板部分２１ｂには、前方から後方に向けて上方に傾斜している位置決め用の傾斜段面２１ｃが形成されており、この傾斜段面２１ｃの中程の位置に位置決め用のガイドローラー８０が乗り上げるようになっている。このガイドローラー８０は、プラテンフレーム２９の左側の側面から横方に水平に突出しており、当該プラテンフレーム２９に回転自在の状態で取り付けられている。開閉蓋ユニット３を閉じた状態においては、ガイドローラー８０が傾斜段面２１ｃに乗り上げることにより、プラテンフレーム２９がほぼ水平に保持され、ここに取り付けられているプラテン１０が一定のギャップでインクジェット印刷ヘッド２３のインクノズル面２３ａに対峙して印刷位置Ａを規定する。
【００５８】
また、図８に示すように、ロール紙収納部７の右側のヘッドユニットフレーム２２の下側の紙押さえローラー３８の側方には下方に突出する湾曲段面２２ａ（案内面）が形成されている。この湾曲段面２２ａの下端縁は、開閉蓋ユニット３が開閉される際にアタッチメント側突起４３およびテンションガイド側突起５７が摺接するようになっている。アタッチメント側突起４３およびテンションガイド側突起５７が湾曲段面２２ａに摺接すると、バネ力により上方に付勢されているテンションガイド３７が押し下げられ、アタッチメント１１およびテンションガイド３７がヘッドユニットフレーム２２の下端面や、ヘッドユニットフレーム２２の下端面から下方に突出している部材に衝突してしまうことが回避される。
【００５９】
開閉蓋ユニット３を開くと、プラテンフレーム２９に搭載されているプラテン１０、テンションガイド３７、紙送りローラー３０などの部材が一緒にプリンター前方に移動する。また、テンションガイド３７に取り付けられているアタッチメント１１もフレーム部材３９との係合が解除されてプラテンフレーム２９と一緒にプリンター前方に移動する。さらに、開閉蓋ユニット３が、前側平行リンク７１、７２の水平軸７５を中心として前方に倒れると、前側平行リンク７１、７２と、後側平行リンク７３、７４の間の架け渡されているプラテンフレーム２９は、全体として前方および下方に移動する。この移動により、プラテンフレーム２９のガイドローラー８０が傾斜段面２１ｃに沿って滑り落ちる。この結果、ロール紙搬送路Ｇ、中間紙搬送路Ｆ、水平紙搬送路Ｄが開放状態に切り替わる。また、図６の状態から開閉蓋ユニット３を更に空けると、図２に示すように、開閉蓋ユニット３を略前方に水平に倒した開き位置まで開くことができる。開き位置では、プラテンフレーム２９の側に前側平行リンク７１、７２および後側平行リンク７３、７４がほぼ水平に折り畳まれた状態になる。
【００６０】
次に、開き位置にある開閉蓋ユニット３を閉じる場合の動作は上記とは逆の順番になる。すなわち、開閉蓋ユニット３が閉じる手前の時点においては、プラテンフレーム２９のガイドローラー８０がプリンター本体フレーム２１の側板部分２１ｂに形成されている位置決め用の傾斜段面２１ｃに乗り上げ、ガイドローラー８０が傾斜段面２１ｃに係合してプラテンフレーム２９がほぼ水平な姿勢となるように位置決めされる。このとき、テンションガイド３７およびアタッチメント１１は、湾曲段面２２ａによってヘッドユニットフレーム２２などに衝突しないように案内され、しかる後にアタッチメント側係合部５２の挿入板部５５がフレーム部材側係合部３９ｂに挿入されて係合する。
【００６１】
この結果、図３に示すように、プラテン１０がインクジェット印刷ヘッド２３に一定のギャップで対峙して、印刷位置Ａを規定する状態になる。ファンフォールド紙搬送路Ｅと水平紙搬送路Ｄとの間に、これらを連続させる中間紙搬送路Ｆが形成される。また、テンションガイド３７の下方には、ロール紙搬送路Ｇが形成される。
【００６２】
（アタッチメント装着による効果）
本例によれば、テンションガイド３７にアタッチメント１１を取り付けた状態で開閉蓋３ａを閉じると、ファンフォールド紙搬送路Ｅとロール紙搬送路Ｇとの合流位置Ｈにおいて、水平紙搬送路Ｄとファンフォールド紙搬送路Ｅとの間を連続させる中間紙搬送路Ｆが形成される。この結果、紙挿入口１２から印刷位置Ａに至るファンフォールド紙用の紙搬送路Ｂ上に分断箇所がなくなるので、紙挿入口１２から挿入されたファンフォールド紙８をジャミング状態に陥らせることなく水平紙搬送路Ｄ上にセットすることができる。
【００６３】
また、アタッチメント１１によりファンフォールド紙搬送路Ｅとロール紙搬送路Ｇとの合流位置Ｈに水平紙搬送路Ｄとファンフォールド紙搬送路Ｅとの間を連続させる中間紙搬送路Ｆが形成されると、ロール紙搬送路Ｇと水平紙搬送路Ｄとの間が遮蔽される。従って、ファンフォールド紙８の使用が選択されているときに、誤って、ロール紙９から引き出された記録紙９ａを水平紙搬送路Ｄ上にセットしてしまうことを防止できる。
【００６４】
さらに、開閉蓋３ａの閉動作に連動して、水平紙搬送路Ｄと中間紙搬送路Ｆが形成されるので、簡単な操作で水平紙搬送路Ｄとファンフォールド紙搬送路Ｅとを連続させることができる。また、開閉蓋３ａの開動作に連動して、水平紙搬送路Ｄと中間紙搬送路Ｆが開放状態になるので、水平紙搬送路Ｄや中間紙搬送路Ｆにおいてファンフォールド紙８がジャミング状態に陥ってしまっても、ファンフォールド紙８をジャミング状態から復旧させることが容易である。
【００６５】
また、本例によれば、開閉蓋３ａを閉じると、アタッチメント側係合部５２がフレーム部材側係合３９ｂに係合して、アタッチメント１１とフレーム部材３９との接続が確実なものになる。この結果、紙挿入口１２から挿入されるファンフォールド紙８が中間紙搬送路Ｆを広げるような負荷を発生させた場合でも、或いは、印刷位置Ａから紙挿入口１２に向ってバックフイードされるファンフォールド紙８が中間紙搬送路Ｆを広げるような負荷を発生させた場合でも、中間紙搬送路Ｆとファンフォールド紙搬送路Ｅとの間が分断されてしまうことがない。
【００６６】
さらに、本例によれば、紙押さえローラー３８の側方には下方に突出する湾曲段面２２ａが設けられているので、中間紙搬送路Ｆが形成される際に、アタッチメント１１が紙押さえローラー３８に衝突してしまうことが回避できる。また、湾曲段面２２ａによってアタッチメント１１を案内することができるので、アタッチメント１１とフレーム部材３９とを確実に係合させることができる。
【００６７】
また、水平紙搬送路Ｄ、中間紙搬送路Ｆおよびファンフォールド紙搬送路Ｅから構成されるファンフォールド紙用の紙搬送路Ｂは、紙送りローラー３０よりも上流側で中間紙搬送路Ｆを含む紙搬送路部分が、紙搬送方向に、湾曲したＳ字形状を備えるように構成されている。この結果、紙挿入口１２から挿入されて印刷位置Ａに至るファンフォールド紙８はＳ字の搬送路部分を通過する際に、折り曲げ部分に付いているクセが弱められるので、ファンフォールド紙８が印刷位置Ａを通過する際に浮き上がってしまい印刷ヘッドと干渉してしまうことを抑制または防止できる。
【００６８】
さらに、印刷媒体としてロール紙９を選択した時にだけ用いられるテンションガイド３７に対してアタッチメント１１を着脱可能に取り付けているので、アタッチメント１１の取り付けるための部材を別途設ける必要がない。
【００６９】
なお、アタッチメント１１はロール紙収納部７を開閉する開閉蓋３ａの開閉蓋ユニット３に着脱可能に取り付けられているので、開閉蓋３ａを開けることにより、アタッチメント１１の取り付け部分にアクセスすることができる。この結果、アタッチメント１１を着脱することが容易にできるので、ファンフォールド紙８およびロール紙９を選択的に使用するのに適している。
【００７０】
また、本例によれば、開閉蓋３ａの開動作に連動して、水平紙搬送路Ｄとロール紙搬送路Ｇが開放状態となり、開閉蓋３ａの閉動作に連動して、水平紙搬送路Ｄとロール紙搬送路Ｇが形成される。すなわち、開閉蓋３ａを開けたときに、ロール紙搬送路Ｇから水平紙搬送路Ｄに至るロール紙用の紙搬送路Ｃが開放状態になる。従って、ロール紙９を使用する場合には、開閉蓋３ａを開けてアタッチメント１１を取り外した後に、ロール紙９を引き出した状態にしたロール紙９をロール紙収納部７に投入し、開閉蓋３ａを閉めるだけで、ロール紙９を印刷位置Ａにセットすることができる。従って、ロール紙９を使用する際の使い勝手も良い。
【符号の説明】
【００７１】
１・プリンター、２・プリンター本体、２ａ・外装ケース、３・開閉蓋ユニット、３ａ・開閉蓋、４・紙排出口、５・排紙ガイド、６・蓋開閉レバー、７・ロール紙収納部、８・ファンフォールド紙、９・ロール紙、９ａ・記録紙、１０・プラテン、１１・アタッチメント、１２・紙挿入口、２１・プリンター本体フレーム、２１ａ・底板部分、２１ｂ・側板部分、２１ｃ・傾斜段面、２２・ヘッドユニットフレーム、２２ａ・湾曲段面、２３・インクジェット印刷ヘッド、２４・キャリッジ、２５・キャリッジガイド軸、２６・キャリッジモーター、２７・タイミングベルト、２８・オートカッター、２９・プラテンフレーム、３０・紙送りローラー、３１・３５・押圧ローラー、３２・紙送りモーター、３３・紙検出器、３４・押さえレバー、３６・繰り出しローラー、３７・テンションガイド、紙押さえローラー３８、３９・フレーム部材、４１・Ｓ字板部分、４２垂直板部分、４３・アタッチメント側突起、４４・４５・切り欠き部、４６・４７・アタッチメント側取付部、４８・フック、４９・５０・薄板、５１・突起、５１ａ・６１ａ・貫通孔、５２・アタッチメント側係合部、５３・切り欠き部、５４・段部、５５・挿入板部、５６・ガイド本体、５７・テンションガイド側突起、５８・５９・テンションガイド側取付部、６０・切り欠き部、６１・上板、６２・下板、７１・７２・前側平行リンク、７３・７４・後側平行リンク、７５・７６・７９・水平軸、７８・長孔、８０・ガイドローラー、Ａ・印刷位置、Ｂファンフォールド紙用の紙搬送路、Ｃ・ロール紙用の紙搬送路、Ｄ水平紙搬送路（共通紙搬送路）、Ｅ・ファンフォールド紙搬送路（第１紙搬送路）、Ｆ・中間紙搬送路、Ｇ・ロール紙搬送路（第２紙搬送路）、Ｈ・合流位置
【図１】
2010201679.tif 000003
【図２】
2010201679.tif 000004
【図３】
2010201679.tif 000005
【図４】
2010201679.tif 000006
【図５】
2010201679.tif 000007
【図６】
2010201679.tif 000008
【図７】
2010201679.tif 000009
【図８】
2010201679.tif 000010